(57)【要約】【課題】  収納した電子写真感光体の露光を抑制できるようにした新たな電子写真感光体用梱包箱を提供する。【解決手段】  電子写真感光体を収納するための電子写真感光体用梱包箱１において、フラップ２１の基縁部２１ｆを壁面部２の縁２ｃの全長に亘って形成するとともに、フラップ２１の側縁２１ａ，２１ｂにフラップ２１の先端縁２１ｅから縁２ｃよりも先端縁２１ｅ側の位置Ｘまで延在する切欠部２１Ａ，２１Ｂを形成する。【選択図】        図１
2007041481.tif 000002
【特許請求の範囲】
【請求項１】
折り目を介して連接された壁面部と、該壁面部それぞれの縁から延在するフラップとを備え、該壁面部の縁で該フラップを折り返して封緘される、電子写真感光体を収納するための電子写真感光体用梱包箱であって、
該フラップの基縁部が、該壁面部の縁の全長に亘って形成されるとともに、
該フラップの側縁の少なくとも一方に、該フラップの先端縁から、該壁面部の縁よりも該フラップの先端縁側の位置まで延在する切欠部が形成されている
ことを特徴とする、電子写真感光体用梱包箱。
【請求項２】
該切欠部の延在方向の寸法が、該フラップの上記延在方向の寸法に対して５０％以上である
ことを特徴とする、請求項１記載の電子写真感光体用梱包箱。
【請求項３】
該フラップの基縁部から、該切欠部までの上記延在方向の寸法が、１０ｍｍ以上である
ことを特徴とする、請求項１又は請求項２に記載の電子写真感光体用梱包箱。
【請求項４】
該壁面部のうちの少なくとも１つが、一方の縁から他方の縁まで延在して形成された貼合部を備え、該折り目からそれぞれ延在する２つの部分壁面部を該貼合部で貼り合わせて構成されているとともに、
該貼合部が、該折り目から離隔している
ことを特徴とする、請求項１〜３のいずれか１項に記載の電子写真感光体用梱包箱。
【請求項５】
該部分壁面部により構成された該壁面部の一方の折り目から他方の折り目までの距離に対して、上記折り目のうちの一方と該貼合部との最短距離が、１０％以上５０％以下である
ことを特徴とする、請求項４記載の電子写真感光体用梱包箱。
【発明の詳細な説明】
【技術分野】
【０００１】
本発明は電子写真感光体を収納するための電子写真感光体用梱包箱に関する。
【背景技術】
【０００２】
電子写真技術は、即時性、高品質の画像が得られることなどから、複写機、各種プリンタ、ファクシミリなどに幅広く使われている。電子写真技術の中核となる電子写真感光体（以下適宜、単に「感光体」という）については、その光導電材料として従来からのセレン、ヒ素−セレン合金、硫化カドミウム、酸化亜鉛といった無機系の光導電体から、最近では、無公害で成膜が容易、製造が容易である等の利点を有する有機系の光導電材料を使用した感光体の使用が主流となっている。
【０００３】
このような感光体は、運搬時や保管時には、通常、ダンボール等で形成された梱包箱に収納されることが多い。これらの梱包箱は、感光体の品質に影響を与えることがあるため、従来、例えば特許文献１〜３などに記載されているように、種々の技術が提案されてきた。
【０００４】
以下、図５及び図６を用いて、感光体を収納するために用いられてきた梱包箱の例について説明する。図５及び図６は、従来の梱包箱の一例を示すもので、図５はその模式的な展開図、図６はその模式的な斜視図である。
図５及び図６に示すように、梱包箱１０１は、４つの壁面部１０２，１０３，１０４，１０５（以下適宜、「壁面部１０２〜１０５」という）を備えていて、壁面部１０２から壁面部１０５までは、この順に、折り目１０２ａ，１０３ａ，１０４ａ（以下適宜、「折り目１０２ａ〜１０４ａ」という）を介して連接されている。また、壁面部１０２の、壁面部１０３に連接されたのと反対側の末端部１０２ｂには、張出部１２３が形成されている。したがって、壁面部１０２〜１０５は、折り目１０２ａ〜１０４ａでそれぞれ折り返すようにすると共に、張出部１２３を壁面部１０５の末端部１０５ｂに接着することにより、梱包箱１０１の四方を囲繞する壁となるようになっている。
【０００５】
また、各壁面部１０２〜１０５の上縁１０２ｃ，１０３ｃ，１０４ｃ，１０５ｃ（以下適宜、「上縁１０２ｃ〜１０５ｃ」という）及び底縁１０２ｄ，１０３ｄ，１０４ｄ，１０５ｄ（以下適宜、「底縁１０２ｄ〜１０５ｄ」という）からは、それぞれフラップ１２１，１２２，１３１，１３２，１４１，１４２，１５１，１５２（以下適宜、「フラップ１２１〜１５２」という）が延在して形成されている。したがって、これらのフラップ１２１〜１５２を上縁１０２ｃ〜１０５ｃ及び底縁１０２ｄ〜１０５ｄで内側に折り返すことにより、梱包箱１０１の上側の開口及び底側の開口が閉じられるようになっている。
【０００６】
また、各フラップ１２１〜１５２の側縁１２１ａ，１２１ｂ，１２２ａ，１２２ｂ，１３１ａ，１３１ｂ，１３２ａ，１３２ｂ，１４１ａ，１４１ｂ，１４２ａ，１４２ｂ，１５１ａ，１５１ｂ，１５２ａ，１５２ｂ（以下適宜、「側縁１２１ａ〜１５２ｂ」という）には、通常、フラップ１２１〜１５２の先端縁１２１ｅ，１２２ｅ，１３１ｅ，１３２ｅ，１４１ｅ，１４２ｅ，１５１ｅ，１５２ｅ（以下適宜、「先端縁１２１ｅ〜１５２ｅ」という）から各壁面部１０２〜１０５の上縁１０２ｃ〜１０５ｃ及び底縁１０２ｄ〜１０５ｄそれぞれまで延在して、切欠部１２１Ａ,１２１Ｂ，１２２Ａ，１２２Ｂ，１３１Ａ，１３１Ｂ，１３２Ａ，１３２Ｂ，１４１Ａ，１４１Ｂ，１４２Ａ，１４２Ｂ，１５１Ａ，１５１Ｂ，１５２Ａ，１５２Ｂ（以下適宜、「切欠部１２１Ａ〜１５２Ｂ」という）が形成される。
【０００７】
梱包箱１０１は段ボールのような厚いシートによって形成されるため、切欠部１２１Ａ〜１５２Ｂを形成していない場合には、梱包箱１０１を組み立てたり、梱包箱１０１の蓋をしたりする際に、フラップ１２１〜１５２が壁面部１０２〜１０５に接触したり、隣接するフラップ１２１〜１５２の側縁１２１ａ〜１５２ｂが互いに障害となったりして、折り返しにくくなることが多かった。しかし、上記のように切欠部１２１Ａ〜１５２Ｂを形成したことによって、フラップ１２１〜１５２を折り返す操作が容易になり、梱包箱１０１を組み立てやすくなっている。
【０００８】
【特許文献１】特開平６−１８６８９５号公報
【特許文献２】特開平９−２４４３２６号公報
【特許文献３】特開平１０−９７０８５号公報
【発明の開示】
【発明が解決しようとする課題】
【０００９】
上記のように、従来、感光体は、上述したような感光体用の梱包箱に収納され、保存、運搬等をされていた。しかし、このような梱包箱においては、フラップに上記切欠部１２１Ａ〜１５２Ｂのような切欠部が形成されることが多いため、切欠部を通じて梱包箱の内部に光が侵入し、それにより、感光体が露光して感光体が劣化する虞があった。
【００１０】
これに対し、切欠部を形成しないようにすれば梱包箱の内部に光が侵入することは抑制できる。しかしこの場合には、フラップを折り返しにくくなるため、梱包箱の組み立てや蓋をする操作が困難になる。
さらに、特許文献２のように感光体を別途、露光抑制用の袋等で包んでから梱包箱に収納するようにしてもよいが、袋等はコスト増を招く虞がある。
【００１１】
本発明は上記の課題に鑑みて創案されたもので、フラップの折り返し操作を簡単に行なえるようにすると共に、収納した電子写真感光体の露光を抑制できるようにした、新たな電子写真感光体用梱包箱を提供することを目的とする。
【課題を解決するための手段】
【００１２】
本発明の発明者は、上記課題を解決するべく鋭意検討した結果、フラップの基縁を壁面部の縁の全長に亘って形成するようにするとともに、フラップの側縁に、フラップの先端縁から壁面部の端縁よりもフラップの先端縁側の位置まで延在する切欠部を形成することにより、フラップの折り返しを容易にしながら梱包箱の内部に光が侵入することを抑制することが可能となることを見出し、本発明を完成させた。
【００１３】
即ち、本発明の要旨は、折り目を介して連接された壁面部と、該壁面部それぞれの縁から延在するフラップとを備え、該壁面部の縁で該フラップを折り返して封緘される、電子写真感光体を収納するための電子写真感光体用梱包箱であって、該フラップの基縁部が、該壁面部の縁の全長に亘って形成されるとともに、該フラップの側縁の少なくとも一方に、該フラップの先端縁から、該壁面部の縁よりも該フラップの先端縁側の位置まで延在する切欠部が形成されていることを特徴とする、電子写真感光体用梱包箱に存する（請求項１）。
【００１４】
このとき、該切欠部の延在方向の寸法は、該フラップの上記延在方向の寸法に対して５０％以上であることが好ましい（請求項２）。
【００１５】
さらに、該フラップの基縁部から、該切欠部までの上記延在方向の寸法は、１０ｍｍ以上であることが好ましい（請求項３）。
【００１６】
また、該壁面部のうちの少なくとも１つが、一方の縁から他方の縁まで延在して形成された貼合部を備え、該折り目からそれぞれ延在する２つの部分壁面部を該貼合部で貼り合わせて構成されているとともに、該貼合部が、該折り目から離隔していることが好ましい（請求項４）。
【００１７】
さらに、該部分壁面部により構成された該壁面部の一方の折り目から他方の折り目までの距離に対して、上記折り目のうちの一方と該貼合部との最短距離は、１０％以上５０％以下であることが好ましい（請求項５）。
【発明の効果】
【００１８】
本発明の電子写真感光体用梱包箱によれば、フラップの折り返し操作を簡単に行なえると共に、収納した電子写真感光体の露光を抑制することが可能となる。
【発明を実施するための最良の形態】
【００１９】
以下、本発明の実施形態について、図面を用いて説明するが、本発明は以下の実施形態に限定されるものではなく、本発明の要旨を逸脱しない範囲において、任意に変形して実施することができる。
【００２０】
［第１実施形態］
図１及び図２は本発明の第１実施形態としての電子写真感光体用梱包箱について示すもので、図１はその模式的な展開図であり、図２はその模式的な斜視図である。
図１及び図２に示すように、本実施形態の電子写真感光体用梱包箱（以下適宜、単に「梱包箱」という）１は、段ボールにより形成された、電子写真感光体（以下適宜、「感光体」という）を収納するための箱であり、壁面部２，３，４，５（以下適宜、「壁面部２〜５」という）と、フラップ２１，２２，３１，３２，４１，４２，５１，５２（以下適宜、「フラップ２１〜５２」という）とを備えて構成されている。
【００２１】
壁面部２〜５は、梱包箱１の壁を構成するもので、それぞれ矩形に形成されている。また、本実施形態においては、壁面部２と壁面部４と、並びに、壁面部３と壁面部５とは、それぞれ同様の寸法となるように構成されている。したがって、梱包箱１は、直方体形状となっている。なお、具体的寸法は、収納する感光体の寸法に応じて任意に設定することが可能である。
【００２２】
また、壁面部２〜５は、壁面部２、壁面部３、壁面部４及び壁面部５の順に、それぞれ折り目２ａ，３ａ，４ａ（以下適宜、「折り目２ａ〜４ａ」という）を介して連接されている。具体的には、図１に示すように、壁面部２、壁面部３及び壁面部４それぞれの図中右側の折り目２ａ、折り目３ａ及び折り目４ａを介して、上記の順に連接されている。したがって、壁面部２〜５は、図１のように展開してみた場合、全体として一つの矩形部分を構成するような形状となっている。
【００２３】
さらに、壁面部２の、壁面部３に連接されたのと反対側（即ち、図１では図中左側）の末端部２ｂには、末端部２ｂの全長に亘って、張出部２３が形成されている。この張出部２３は、壁面部５の図１中右側の末端部５ｂに重ね合わせ、接着することにより、壁面部２と壁面部５とを接着して接続するための部分であり、壁面部２と壁面部５との間に隙間が形成されて当該隙間から梱包箱１内部に光が侵入しないよう、また、この張出部２３での接着が十分強固にできる程度に大きい接着面積を確保できるよう、その寸法を設定されている。この張出部２３は、図２のように壁面部５の図１中右側の末端部５ｂに重ね合わせられ、末端部２ｂと末端部５ｂとをその全長に亘って貼り合わせている。
したがって、壁面部２〜５を折り目２ａ〜４ａで折り返すとともに、張出部２３を壁面部５の図１中右側の末端部５ｂに接着することによって、壁面部２〜５は、梱包箱１の四方を囲繞する壁として機能するようになっている。
【００２４】
一方、フラップ２１，２２，３１，３２，４１，４２，５１，５２（以下適宜、「フラップ２１〜５２」という）は、各壁面部２〜５の図１中上側及び下側の縁２ｃ，２ｄ，３ｃ，３ｄ，４ｃ，４ｄ，５ｃ，５ｄ（以下適宜、「縁２ｃ〜５ｄ」という）から延在して形成され、梱包箱１の蓋部や底部を構成するものである。具体的には、壁面部２〜５の上縁２ｃ，３ｃ，４ｃ，５ｃ（以下適宜、「上縁２ｃ〜５ｃ」という）及び底縁２ｄ，３ｄ，４ｄ，５ｄ（以下適宜、「底縁２ｄ〜５ｄ」という）から、それぞれフラップ２１，３１，４１，５１及びフラップ２２，３２，４２，５２が延在して形成されていて、これらのフラップ２１〜５２を上縁２ｃ〜５ｃ及び底縁２ｄ〜５ｄでそれぞれ折り返すことにより、梱包箱１の上側の開口に蓋をすると共に、底側の開口部分に底部を形成して、梱包箱１が封緘されるようになっている。なお、フラップ２１，２２は壁面部２から、フラップ３１，３２は壁面部３から、フラップ４１，４２は壁面部４から、フラップ５１，５２は壁面部５から、それぞれ延在して形成されている。また、各フラップ２１〜５２は、梱包箱１内部への光の侵入を抑制するべく、十分な面積を有する略矩形形状に形成されているものとする。
【００２５】
さらに、本実施形態においては、各フラップ２１〜５２の基縁部２１ｆ，２２ｆ，３１ｆ，３２ｆ，４１ｆ，４２ｆ，５１ｆ，５２ｆ（以下適宜、「基縁部２１ｆ〜５２ｆ」という）が、対応する壁面部２〜５の縁２ｃ〜５ｄそれぞれの全長に亘って形成されている。即ち、壁面部２〜５の縁２ｃ〜５ｄの長さと、フラップ２１〜５２の基縁部２１ｆ〜５２ｆの縁２ｃ〜５ｄに連接されている部分の長さとが、等しくなっている。ただし、本発明の効果を著しく損なわない程度の誤差は許容される。
【００２６】
また、本実施形態のフラップ２１〜５２の側縁２１ａ，２１ｂ，２２ａ，２２ｂ，３１ａ，３１ｂ，３２ａ，３２ｂ，４１ａ，４１ｂ，４２ａ，４２ｂ，５１ａ，５１ｂ，５２ａ，５２ｂ（以下適宜、「側縁２１ａ〜５２ｂ」という）には、それぞれ、切欠部２１Ａ，２１Ｂ，２２Ａ，２２Ｂ，３１Ａ，３１Ｂ，３２Ａ，３２Ｂ，４１Ａ，４１Ｂ，４２Ａ，４２Ｂ，５１Ａ，５１Ｂ，５２Ａ，５２Ｂ（以下適宜、「切欠部２１Ａ〜５２Ｂ」という）が設けられている。これらの切欠部２１Ａ〜５２Ｂは、フラップ２１〜５２の先端縁２１ｅ，２２ｅ，３１ｅ，３２ｅ，４１ｅ，４２ｅ，５１ｅ，５２ｅ（以下適宜、「先端縁２１ｅ〜５２ｅ」という）から、縁２ｃ〜５ｄよりも先端縁２１ｅ〜５２ｅ側の位置（以下適宜、「所定位置」という）まで延在して形成されている。
【００２７】
以下、所定位置について、フラップ５２の図１中右側の側縁５２ａに形成された切欠部５２Ａを例に挙げて説明する。
この切欠部５２Ａは、切欠部５２Ａが形成されたフラップ５２の先端縁５２ｅから、所定位置Ｘまで形成されているが、所定位置Ｘは、壁面部５の縁５ｄよりも先端縁５２ｅに近い側の位置であれば任意の位置とすることができる。
【００２８】
ただし、望ましくは、所定位置Ｘは、切欠部５２Ａの延在方向への距離（即ち、先端縁５２ｅから所定位置Ｘまでの距離ｌ1）の、フラップ５２の上記延在方向への距離（即ち、先端縁５２ｅから縁５ｄまでの距離Ｌ1）に対する比ｌ1／Ｌ1が、通常５０％以上、好ましくは６０％以上、より好ましくは７０％以上となるようにする。フラップ５２の折り返し操作を容易にすると共に、梱包箱１の内部に光が侵入することを確実に防止するためである。なお、上記の距離Ｌ1，ｌ1は、それぞれ、フラップ５２が延在する方向に対する距離である。また、切欠部５２Ａの形状により上記の距離Ｌ1，ｌ1が一定に定まらない場合でも、どの位置において測定した比ｌ1／Ｌ1の値も上記範囲に収まるようにすることが望ましい。
【００２９】
さらに、これに関連し、フラップ５２の基縁部５２ｆから所定位置Ｘまでの距離（Ｌ1−ｌ1）、即ち、基縁部５２ｆから切欠部５２Ａまでの上記延在方向への寸法は、通常１０ｍｍ以上、好ましくは２０ｍｍ以上であることが望ましい。フラップ５２の側縁５２ａの切欠５２Ａが形成されていない部分は、梱包箱１の内部への光の侵入を防ぐ部分であり、この部分を所定の寸法以上確保することによって、梱包箱１の内部への光の侵入を確実に防ぐようにするためである。
【００３０】
また、各切欠部２１Ａ〜５２Ｂの幅Ｗは、本発明の効果を著しく損なわない範囲で任意であるが、通常は、上記の距離Ｌ1と距離ｌ1との差、即ち、基縁部５２ｆから所定位置Ｘまでの距離Ｌ1−ｌ1の大きさよりも小さく形成することが好ましい。梱包箱１の内部への光の侵入を、より確実に抑制するためである。
さらに、切欠部２１Ａ〜５２Ｂのうち、切欠部５２Ａ以外のものについても、上記切欠部５２Ａと同様の範囲の寸法とすることが望ましい。
【００３１】
さらに、各切欠部２１Ａ〜５２Ｂの形状についても制限は無く、本発明の効果を著しく損なわない範囲で任意である。
また、各切欠部２１Ａ〜５２Ｂの形状、寸法等は同一でも異なっていてもよいが、梱包箱１の製造コストを抑制する観点からは、各切欠部２１Ａ〜５２Ｂの形状や寸法などは同一にすることが好ましい。
【００３２】
本発明の第１実施形態としての梱包箱１は上述したように構成されているので、使用時に、底部を閉じる場合や、感光体を内部に収納した後で蓋をする場合において、フラップ２１〜５２を折り返す操作を容易に行なうことができる。即ち、各フラップ２１〜５２に切欠部２１Ａ〜５２Ｂを形成したため、フラップ２１〜５２が壁面部２〜５に接触したり、隣接するフラップ２１〜５２の側縁２１ａ〜５２ｂが互いに障害となったりすることを抑制することができる。
【００３３】
さらに、梱包箱１に感光体を収納した場合に、梱包箱１の内部に光が侵入することを抑制し、感光体を露光させずに保存、運搬することが可能となる。即ち、切欠部２１Ａ〜５２Ｂを縁２ｃ〜５ｄよりも先端縁２１ｅ〜５２ｅ側にまで延在して形成するようにし、フラップ２１〜５２の基縁２１ｆ〜５２ｆを縁２ｃ〜５ｄの全長に亘って形成するようにしたため、従来のようにフラップ２１〜５２の基縁２１ｆ〜５２ｆ付近の切欠部（図５の切欠部１２１Ａ〜１５２Ｂ参照）が重畳し、その部分が閉塞されずに光が侵入できる隙間が形成されることはなく、したがって、フラップ２１〜５２によって梱包箱１の底及び蓋を完全に閉塞できるのである。
【００３４】
ここで、切欠部２１Ａ〜５２Ｂを縁２ｃ〜５ｄよりも先端縁２１ｅ〜５２ｅ側にまで延在して形成するようにした場合でも、フラップ２１〜５２の折り返し操作を容易にすることができるのは、フラップ２１〜５２の折り返し操作を困難にする主な要因が、フラップ２１〜５２の先端縁２１ｅ〜５２ｅの周辺部分にあるためと推察される。従来は、フラップ２１〜５２に縁２ｃ〜５ｄにまで延在する切欠部（図６の切欠部１２１Ａ〜１５２Ｂ参照）を形成していたところ、本発明の発明者はフラップ２１〜５２の先端部２１ｅ〜５２ｅが互いに重畳して障害となったり壁面部２〜５に接触したりすることがフラップ２１〜５２の折り返し操作を困難にする主要因であることを見出した。これを利用し、フラップ２１〜５２の基縁２１ｆ〜５２ｆの周辺を残すようにしながら切欠部２１Ａ〜５２Ｂを形成することにより、切欠部２１Ａ〜５２Ｂで折り返し操作を容易にさせることと、フラップ２１〜５２の基縁２１ｆ〜５２ｆの周辺部分により梱包箱１内部への光の侵入を抑制することとの両立を可能にしたのである。
【００３５】
この際、切欠部２１Ａ〜５２Ｂの寸法を上記の範囲内に収めるようにすることにより、より確実に、本発明の利点を適切に得ることが可能となる。
【００３６】
以上、本発明の第１実施形態について説明したが、本実施形態は、本発明の要旨を逸脱しない範囲において、任意に変形して実施することができる。
例えば、切欠部２１Ａ〜５２Ｂを形成したフラップ２１〜５２は、梱包箱１の上縁２ｃ〜５ｃと底縁２ｄ〜５ｄとのいずれか一方のみに設ける用にしてもよい。さらに、フラップ２１〜５２のうちのいずれか１つのみに切欠部２１Ａ〜５２Ｂを形成するようにしてもよい。ただし、感光体の出し入れや光の侵入は梱包箱１の上縁側、即ち、蓋側で行なわれるため、この蓋側のフラップ２１，３１，４１，５１には全て切欠部２１Ａ，２１Ｂ，３１Ａ，３１Ｂ，４１Ａ，４１Ｂ，５１Ａ，５１Ｂを設けるようにすることが望ましい。
【００３７】
また、上記の実施形態においては、各フラップ２１〜５２の側縁２１ａ〜５２ｂには全て切欠部２１Ａ〜５２Ｂを形成するようにしたが、フラップ２１〜５２がそれぞれ有する側縁２１ａ〜５２ｂのうち、少なくともいずれか一方のみに切欠部２１Ａ〜５２Ｂを形成するようにしてもよい。即ち、フラップ２１を例にすると、図１中右側の側縁２１ａのみに形成されていてもよく、図中左側の側縁２１ｂにのみ形成されていてもよい。
【００３８】
さらに、梱包箱１は、直方体以外の形状に形成してもよい。したがって、壁面部２〜５は、矩形以外の形状としてもよく、また、３個又は５個以上を設けても良い。
また、梱包箱１は、段ボール以外の素材で形成しても構わないが、本発明の利点を有効に活用する観点、及び、収納する感光体を安全に保存、収納する観点からは、強度及び厚みが大きいシート状の素材を用いることが好ましい。
さらに、上記実施形態では張出部２３を外貼りするようにしたが、内貼りするようにしてもよい。
【００３９】
［第２実施形態］
図３及び図４は本発明の第２実施形態としての電子写真感光体用梱包箱について示すもので、図３はその模式的な展開図であり、図４はその模式的な斜視図である。なお、図３及び図４において、図１及び図２と同様の部位は、図１及び図２と同様の符号で示す。
本実施形態の梱包箱１’は、壁面部２に代えて、張り合わせることにより上記壁面部２と同様の壁面部として機能する部分壁面部６及び部分壁面部７を備えているほかは、第１実施形態と同様に構成されている。
【００４０】
即ち、図３及び図４に示すように、本実施形態の梱包箱１’は、段ボールにより形成された、感光体を収納するための箱であり、壁面部３，４，５及び部分壁面部６，７と、フラップ３１，３２，４１，４２，５１，５２，６１，６２，７１，７２（以下適宜、「フラップ３１〜７２」という）とを備えて構成されている。
【００４１】
壁面部３，４及びフラップ３１，３２，４１，４２，５１，５２は、第１実施形態と同様である。
また、壁面部５は、図３中右側の折り目５ａを介して部分壁面部７が連接されているほかは、第１実施形態と同様である。
【００４２】
部分壁面部６は、壁面部３の図３中左側に、折り目６ａを介して連接されている。また、部分壁面部６のさらに図３中左側の末端部６ｂには、張出部６３が形成されている。なお、この張出部６３は、部分壁面部６の末端部６ｂを部分壁面部７の図３中右側の末端部７ｂに接続するようになっている他は、第１実施形態の張出部２３と同様である。
一方、部分壁面部７は、壁面部５の図３中右側に、折り目５ａを介して連接されている。
【００４３】
そして、部分壁面部６及び部分壁面部７は、図４に示すように、張出部６３を部分壁面部７の末端部７ｂに接着されていることにより、第１実施形態の壁面部２と同様の形状、寸法を有する壁面部８を構成するようになっている。即ち、壁面部３，４，５及び部分壁面部６，７を折り目３ａ，４ａ，５ａ，６ａで折り返すとともに、張出部６３を部分壁面部７の末端部７ｂに重ね合わせ、その重ね合わせた部位を接着されていることによって、壁面部３，４，５及び部分壁面部６，７から構成される壁面部８は、梱包箱１’の四方を囲繞する壁として機能するようになっている。
【００４４】
したがって、部分壁面部６と部分壁面部７とによって形成される梱包箱１’の壁面部８においては、折り目５ａ，６ａから離隔した中間部分に、張出部６３を部分壁面部７に重ね合わせて接着させた貼合部８Ｃが形成されることになる。この貼合部８Ｃは、張出部６３が末端部６ｂの全長に亘って形成されているため、壁面部８の一方の縁（即ち、部分壁面部６の上縁６ｃ及び部分壁面部７の上縁７ｃとから形成される壁面部８の上縁８ｃ）から、他方の縁（即ち、部分壁面部６の底縁６ｄ及び部分壁面部７の底縁７ｄとから形成される壁面部８の底縁８ｄ）にまで延在して形成されることになる。したがって、部分壁面部６と部分壁面部７とが接続されると共に、張出部６３と部分壁面部７との間に隙間が形成されてその隙間から梱包箱１’内に光が侵入しないようになっている。
【００４５】
この際、貼合部８Ｃの位置は、貼合部８Ｃがいずれの位置においても折り目５ａ，６ａから離隔している限り任意である。ただし、望ましくは、壁面部８の一方の折り目５ａから他方の折り目６ａまでの距離Ｌ2に対して、上記折り目５ａ，６ａのうちの一方と貼合部８Ｃとの最短距離ｌ2を、通常１０％以上、好ましくは２０％以上、より好ましくは３０％以上、また、通常５０％以下とする。張出部６３と部分壁面部７との間に隙間が形成されてその隙間から梱包箱１’内に光が侵入することを、より確実に防止するためである。なお、貼合部８Ｃが壁面部８の一方の折り目５ａから他方の折り目６ａまでのちょうど真ん中の位置（即ち、上記のｌ2／Ｌ2が５０％となる位置）以外にある場合には、折り目５ａ，６ａから貼合部８Ｃまでの最短距離のうち、より小さいほうを最短距離ｌ2とする。
【００４６】
また、フラップ６１，６２は、部分壁面部６の図３中上側及び下側の上縁６ｃ及び底縁６ｄからそれぞれ延在して形成され、さらに、その図３中右側の側縁６１ａ，６２ａに、第１実施形態の切欠部２１Ａ，２２Ａと同様に形成された切欠部６１Ａ，６２Ａを形成されている。
さらに、フラップ７１，７２は、部分壁面部７の図３中上側及び下側の上縁７ｃ及び底縁７ｄから延在して形成され、さらに、その図３中左側の側縁７１ｂ，７２ｂに、第１実施形態の切欠部２１Ｂ，２２Ｂと同様に形成された切欠部７１Ｂ，７２Ｂを形成されている。
【００４７】
また、図４に示すように、フラップ６１，７１は、張出部６３を部分壁面部７の末端部７ｂに重ね合わせて接着した場合に、第１実施形態のフラップ２１と同様に形状、寸法のフラップを構成するようになっている。さらに、フラップ６２，７２は、張出部６３を部分壁面部７の末端部７ｂに重ね合わせて接着した場合に、第１実施形態のフラップ２２と同様に形状、寸法のフラップを構成するようになっている。したがって、張出部６３を部分壁面部７の末端部７ｂに接着した場合、フラップ６１，７１，６２，７２は、フラップ３１，３２，４１，４２，５１，５２とともに、梱包箱１’の上側の開口に蓋をすると共に、底側の開口部分に底部を形成して、梱包箱１が封緘されるようになっている。
【００４８】
本発明の第２実施形態としての梱包箱１’は上述したように構成されているので、第１実施形態の梱包箱１と同様に使用することができ、また、第１実施形態の梱包箱１と同様に、使用時に、底部を閉じる場合や、感光体を内部に収納した後で蓋をする場合において、フラップ３１〜７２をを折り返す操作を容易に行なうことができると共に、梱包箱１’に感光体を収納した場合に、梱包箱１’の内部に光が侵入することを抑制し、感光体を露光させずに保存、運搬することが可能となる。
【００４９】
さらに、本実施形態の梱包箱１’では、貼合部８Ｃの縁８ｃ，８ｄ近傍において隙間が形成されて、梱包箱１’の内部に光が侵入することを、確実に抑制することができる。即ち、図６に示したように、従来は、梱包箱１０１自体の外見の美観のため、梱包箱１０１を組み立てる際には張出部１２３は壁面部１０２の折り目において接着されていた。しかし、折り目で張出部１２３を接着していた場合には、梱包箱１０１の組み立て時に貼り合わせ位置が図６中上下方向にずれる等により貼り合わせ精度が不足すると、その貼り合わせ部分の縁部１０２ｃ，１０２ｄ近傍において隙間が生じて梱包箱１０１の内部に光が侵入する虞があったため、組立作業を慎重に行なわなくてはならなかった。しかし、本実施形態のように、壁面部８を部分壁面部６，７から構成するようにして貼合部８Ｃを折り目５ａ，６ａから離隔するようにすれば、例え貼り合わせ位置が図４中上下方向にずれてもフラップ６１，６２，７１，７２が上記のずれによる隙間を塞ぐことができるため、梱包箱１’の内部に光が侵入することを、確実に抑制することができる。
【００５０】
この際、壁面部８の一方の折り目５ａから他方の折り目６ａまでの距離Ｌ2に対して、折り目５ａ，６ａのうちの一方と貼合部８Ｃとの最短距離ｌ2を上述した範囲内に収めるようにすることにより、より確実に、本発明の利点を適切に得ることが可能となる。
また、このほか、本実施形態の梱包箱１’によれば、第１実施形態の同様の利点を得ることができる。
【００５１】
以上、本発明の第２実施形態について説明したが、本実施形態は、本発明の要旨を逸脱しない範囲において、任意に変形して実施することができる。
例えば、貼合部８Ｃにおいては、少なくとも部分壁面部６と部分壁面部７とを接続することが可能であり、また、張出部６３と部分壁面部７との間に隙間が形成されて梱包箱１’内に光が侵入することが無い限り、その全面において張出部６３と部分壁面部７とが接着されず、その一部が部分的に接着されている状態であっても良い。
また、その他、第１実施形態と同様に変形して実施することも可能である。
【産業上の利用可能性】
【００５２】
本発明は、電子写真感光体の保存や運搬時に用いることができ、特に、電子写真感光体を露光させずに保護するために用いて好適である。
【図面の簡単な説明】
【００５３】
【図１】本発明の第１実施形態としての電子写真感光体用梱包箱の模式的な展開図である。
【図２】本発明の第１実施形態としての電子写真感光体用梱包箱の模式的な斜視図である。
【図３】本発明の第２実施形態としての電子写真感光体用梱包箱の模式的な展開図である。
【図４】本発明の第２実施形態としての電子写真感光体用梱包箱の模式的な斜視図である。
【図５】従来の梱包箱の一例の模式的な展開図である。
【図６】従来の梱包箱の一例の模式的な斜視図である。
【符号の説明】
【００５４】
１，１’  電子写真感光体用梱包箱
２，３，４，５，８  壁面部
２ａ，３ａ，４ａ，５ａ，６ａ  折り目
２ｂ，５ｂ，６ｂ，７ｂ  末端部
２ｃ，３ｃ，４ｃ，５ｃ，６ｃ，７ｃ，８ｃ  上縁
２ｄ，３ｄ，４ｄ，５ｄ，６ｄ，７ｄ，８ｄ  底縁
６，７  部分壁面部
２１，２２，３１，３２，４１，４２，５１，５２，６１，６２，７１，７２  フラップ
２１ａ，２１ｂ，２２ａ，２２ｂ，３１ａ，３１ｂ，３２ａ，３２ｂ，４１ａ，４１ｂ，４２ａ，４２ｂ，５１ａ，５１ｂ，５２ａ，５２ｂ，６１ａ，６２ａ，７１ｂ，７２ｂ  側縁
２１ｅ，２２ｅ，３１ｅ，３２ｅ，４１ｅ，４２ｅ，５１ｅ，５２ｅ  先端縁
２１ｆ，２２ｆ，３１ｆ，３２ｆ，４１ｆ，４２ｆ，５１ｆ，５２ｆ  基縁
２１Ａ，２１Ｂ，２２Ａ，２２Ｂ，３１Ａ，３１Ｂ，３２Ａ，３２Ｂ，４１Ａ，４１Ｂ，４２Ａ，４２Ｂ，５１Ａ，５１Ｂ，５２Ａ，５２Ｂ，６１Ａ，６２Ａ，７１Ｂ，７２Ｂ  切欠部
２３，６３  張出部
８Ｃ  貼合部
【図１】
2007041481.tif 000003
【図２】
2007041481.tif 000004
【図３】
2007041481.tif 000005
【図４】
2007041481.tif 000006
【図５】
2007041481.tif 000007
【図６】
2007041481.tif 000008